(57)【特許請求の範囲】
【請求項１】
収納ケース内部に電子部品が設置されているとともに、前記電子部品の設置空間よりも上方となる位置に、前記電子部品の動作を制御するための操作ボタンが、前記収納ケース前面に開設されたボタン孔を介して前記収納ケース外部へ突出するように備えられてなる電子機器における水抜き構造であって、
前記収納ケースの前面で且つ前記ボタン孔よりも下方となる位置に、排水孔を開設する一方、
前記収納ケース前面の内面に、前記ボタン孔の左右から前記排水孔側へ延びる一対のガイドリブを突設し、前記ガイドリブの上端部に前記操作ボタンの軸支部を設けるとともに、前記操作ボタンの左右両側面と前記ガイドリブの対向面とを当接させており、前記ボタン孔と前記操作ボタンとの隙間から浸入した水を、前記ガイドリブ間を介して前記排水孔へ導くことを特徴とする電子機器における水抜き構造。
【請求項２】
通水孔が形成されてなる防水壁を、前記ガイドリブの下部間にわたって架設するとともに、前記防水壁に、前記通水孔と前記排水孔とを連通させるカバー状の導水部材を設け、前記ガイドリブ間を流下してきた水を、前記通水孔を介して前記排水孔から排出させ、前記ガイドリブよりも下方にある前記電子部品の設置空間への水の浸入を防止可能としたことを特徴とする請求項１に記載の電子機器における水抜き構造。
【請求項３】
前記ガイドリブ同士に挟まれた空間を後方から覆うカバー部材を取り付け、水の前記ガイドリブを越えた前記収納ケース後方への浸入を防止可能としたことを特徴とする請求項１又は２に記載の電子機器における水抜き構造。
【請求項４】
前記収納ケース内部にスピーカが設けられており、前記収納ケース前面に報音のための複数のスピーカ孔が所定の配列で開設されてなる電子機器にあっては、
前記排水孔を、前記スピーカ孔と同形状に開設し、前記スピーカ孔の配列と略同様の配列で前記スピーカ孔の近傍に設けたことを特徴とする請求項１〜３の何れかに記載の電子機器における水抜き構造。
【発明の詳細な説明】
【技術分野】
【０００１】
本発明は、インターホン機器等の操作ボタンを有する電子機器における水抜き構造に関するものである。
【背景技術】
【０００２】
従来、インターホン機器等の主に屋外に設置される電子機器には、収納ケース内への雨水等の浸入問題に対して種々の工夫が施されており、たとえば特許文献１に開示されているように、収納ケースのケース接合部にラビリンス部を設け、収納ケース内への水の浸入を困難としたものがある。しかしながら、たとえばボタン孔と操作ボタンとの間の隙間等、ケース接合部以外にも水の浸入経路は存在し、それら全てにラビリンス部を設けることは不可能である。そのため、一般的な電子機器の収納ケースには、浸入した水をケース外へ排出するための排水孔が形成されている。そして、その排水孔は、一般的に収納ケースの底面に形成されている（たとえば、特許文献２に開示）。
【０００３】
【特許文献１】実開平５−６９９７９号公報
【特許文献２】実開平５−６９９８０号公報
【発明の開示】
【発明が解決しようとする課題】
【０００４】
収納ケースの底面に排水孔を設けると、浸入した水は排出されるまでに収納ケース内を縦断することになり、収納ケース内部に設置されているメイン基板等の電子部品に影響を与える危険がある。しかしながら、浸入した水を排水孔まで導く排水経路を収納ケース内に設ける等といった技術思想は従来全く見受けられず、水の浸入経路となりやすい操作ボタンをメイン基板よりも下方、すなわち収納ケースの下部に設ける等して対応していた。したがって、従来の電子機器では、水の浸入に弱い、電子機器のデザインが限定されがちとなる等といった問題がある。
【０００５】
そこで、本発明は、上記問題に鑑みなされたものであって、たとえ水が収納ケース内に浸入したとしても電子部品に影響を及ぼすことなく確実に排水することができる上、収納ケース上部に操作ボタンを設置したとしても耐水性が損なわれることのない電子機器における水抜き構造を提供しようとするものである。
【課題を解決するための手段】
【０００６】
上記目的を達成するために、本発明のうち請求項１に記載の発明は、収納ケース内部に電子部品が設置されているとともに、電子部品の設置空間よりも上方となる位置に、電子部品の動作を制御するための操作ボタンが、収納ケース前面に開設されたボタン孔を介して収納ケース外部へ突出するように備えられてなる電子機器における水抜き構造であって、収納ケースの前面で且つボタン孔よりも下方となる位置に、排水孔を開設する一方、収納ケース前面の内面に、ボタン孔の左右から排水孔側へ延びる一対のガイドリブを突設し、ガイドリブの上端部に操作ボタンの軸支部を設けるとともに、操作ボタンの左右両側面とガイドリブの対向面とを当接させており、ボタン孔と操作ボタンとの隙間から浸入した水を、ガイドリブ間を介して排水孔へ導くことを特徴とする。
この構成によれば、一対のガイドリブにより、水がボタン孔と操作ボタンとの隙間から収納ケース内に浸入したとしても、その水のガイドリブを越えた左右方向への浸入が防止され、さらに浸入した水が排水孔側へ導かれる。したがって、浸入した水の収納ケース内部空間での拡散を防止することができ、各種基板等の電子部品に影響を及ぼすといった事態を効果的に防止することができる。また、操作ボタンの左右両側面とガイドリブの対向面とが当接するようにガイドリブを形成しているため、水が浸入する隙間を最小限とすることができ、水が浸入しにくい構成とすることができる。さらに、ガイドリブの上端部に、操作ボタンを軸支するための軸支部を設けているため、収納ケースの構成の簡素化及び合理化を図ることができる。
【０００７】
請求項２に記載の発明は、請求項１に記載の発明において、通水孔が形成されてなる防水壁を、ガイドリブの下部間にわたって架設するとともに、防水壁に、通水孔と排水孔とを連通させるカバー状の導水部材を設け、ガイドリブ間を流下してきた水を、通水孔を介して排水孔から排出させ、ガイドリブよりも下方にある電子部品の設置空間への水の浸入を防止可能としたことを特徴とする。
この構成によれば、防水壁により、ガイドリブに沿う等して流下してきた水の更なる流下、すなわちスピーカ等が設置されている収納ケース下方空間への水の浸入を確実に防止して、その水を排水孔から排出させることができる。したがって、収納ケース内に浸入した水が電子部品に影響を及ぼすといった事態を確実に防止することができる。また、このように所定位置よりも下方への水の浸入を確実に防止可能とすることで、収納ケースの上部に配置すること等が可能となり、デザインの自由度を向上することができるし、スペースの有効利用による装置の小型化等をも図ることができる。
【０００８】
請求項３に記載の発明は、請求項１又は２に記載の発明において、ガイドリブ同士に挟まれた空間を後方から覆うカバー部材を取り付け、水のガイドリブを越えた収納ケース後方への浸入を防止可能としたことを特徴とする。
この構成によれば、カバー部材により、収納ケース内の電子部品設置空間等への水の浸入をさらに確実に防止することができるし、特にボタン孔と操作ボタンとの隙間から多量の水が浸入したような場合に優れた防水効果を発揮することができる。
【０００９】
請求項４に記載の発明は、請求項１〜３のいずれかに記載の発明において、収納ケース内部にスピーカが設けられており、収納ケース前面に報音のための複数のスピーカ孔が所定の配列で開設されてなる電子機器にあっては、排水孔を、スピーカ孔と同形状に開設し、スピーカ孔の配列と略同様の配列でスピーカ孔の近傍に設けたことを特徴とする。
この構成によれば、収納ケースのデザインを、スピーカ孔と排水孔との区別がつきにくい統一感のあるデザインとすることができる。
【発明の効果】
【００１０】
本発明によれば、一対のガイドリブにより、水がボタン孔と操作ボタンとの隙間から収納ケース内に浸入したとしても、その水のガイドリブを越えた左右方向への浸入が防止され、さらに浸入した水が排水孔側へ導かれる。したがって、浸入した水の収納ケース内部空間での拡散を防止することができ、各種基板等の電子部品に影響を及ぼすといった事態を効果的に防止することができる。
【発明を実施するための最良の形態】
【００１１】
以下、本発明の一実施形態となる電子機器における水抜き構造について、図面をもとに説明する。尚、本実施形態では、電子機器をその一例であるインターホン機器とし、該インターホン機器における水抜き構造について説明する。
【００１２】
図１は、インターホン機器の前ケース１を正面から示した説明図であり、図２は、図１におけるＡ−Ａ線断面説明図である。また、図３は、前ケース１を後方から示した斜視説明図であり、図４は、カバー部材２を取り外した状態の前ケース１を後方から示した斜視説明図である。
インターホン機器は、壁面等に固着される取付枠（図示せず）に取り付けられる後ケース（図示せず）と、該後ケースに組み付けられる前ケース１とからなる収納ケースの内部空間に、メイン基板やスイッチ基板、スピーカ等の各種電子部品を設置してなるものである。前ケース１の前面略中央部には、ボタン孔３が開設されており、たとえば呼出ボタン等の操作ボタン４がボタン孔３を介して露出するように取り付けられ、操作者により収納ケース内方へ押し込み操作可能となっている。また、前ケース１の前面下部には、スピーカから音を報音させるための複数のスピーカ孔５、５・・が格子状に開設されている。尚、操作ボタン４の後方位置には、操作ボタン４の押し込み操作によりＯＮ／ＯＦＦ操作されるスイッチ回路が形成されたスイッチ基板が設置され、スピーカ孔５、５・・の後方位置には、スピーカが設置されることになる。
【００１３】
さらに、前ケース１の前面におけるボタン孔３よりも下方で且つスピーカ孔５、５・・よりも上方となる位置には、ボタン孔３と操作ボタン４との隙間から収納ケース内へ浸入した水を収納ケース外へ排出するための排水孔６、６・・が開設されている。各排水孔６は、各スピーカ孔５と略同形状に形成され、さらにスピーカ孔５、５・・の配列の延長線上に同様の配列で設けられており、前ケース１を正面から視認した際、スピーカ孔５、５・・と排水孔６、６・・との区別がつきにくいデザインとなっている。
【００１４】
一方、前ケース１の後面には、ボタン孔２の左右位置から排水孔６、６・・へ向かって延びる一対のガイドリブ７、７が対向するように突設されている。各ガイドリブ７は、操作ボタン４を取り付けた際に各ガイドリブ７の対向面と操作ボタン４の側面とが当接するように、操作ボタン４の側面に沿って下方へ延設された後、操作ボタン４よりも下方へ突出するように設けられている。そして、ボタン孔３と操作ボタン４との隙間から浸入した水のガイドリブ７、７を越えた位置への浸入を防止するとともに、その水をボタン孔３よりも下方へ導くようになっている。尚、各ガイドリブ７の上端部には、操作ボタン４の軸部４ａを軸支する軸支部７ａが設けられている。
【００１５】
また、ガイドリブ７、７の下端部には、該下端部同士を連結するように防水壁８が設けられている。防水壁８は、左右方向へ長い帯状体であって、前ケース２の後面との当接側には、複数の通水孔９、９・・が切り欠き状に設けられている。さらに、各通水孔９の下方位置には、通水孔９と排水孔６とを連通させるカバー状の導水部材１０が取り付けられている。
【００１６】
加えて、操作ボタン４の後方となる位置には、ガイドリブ７、７及び防水壁８により囲まれた空間を閉塞するようにカバー部材２が取り付けられている。したがって、当該カバー部材２により、水が浸入可能な空間（すなわち、ガイドリブ７、７及び防水壁８により囲まれた空間）と収納ケース内の他の空間とが隔離される。尚、カバー部材２の略中央部には挿通孔１１が開設されており、押し込み操作に応じた操作ボタン４の前後方向への移動を可能としている。
【００１７】
以上のように構成された水抜き構造における水の排出について、以下説明する。
上述の如きインターホン機器を屋外等に設置すると、雨天時における操作ボタン４の操作等により、ボタン孔３と操作ボタン４との隙間から収納ケース内へ水滴等が浸入する。収納ケース内へ浸入した水滴は、ガイドリブ７、７によりそれ以上の左右方向への浸入が防止され、ガイドリブ７、７又は前ケース１の後面をつたって下方へ導かれる。そして、防水壁８まで到達すると、それより下方にあるスピーカ設置空間への流下が防止され、通水孔９、９・・を介して排水孔６、６・・から収納ケース外へ排出される。また、たとえば収納ケース内へ水が多量に浸入し、ガイドリブ７、７や防水壁８を越えて収納ケース内に広がろうとしたとしても、カバー部材２によりガイドリブ７、７等を越えた水の後方への移動は阻止され、スイッチ基板設置空間やスピーカ設置空間への水の浸入は防止される。そして、最終的には、上記同様、通水孔９、９・・を介して排水孔６、６・・から排出される。
【００１８】
以上のような構成を有するインターホン機器における水抜き構造によれば、前ケース１前面のボタン孔３開設位置よりも下方位置に排水孔６、６・・を開設するとともに、前ケース１後面に、ボタン孔３の左右から排水孔６、６・・へ向かう一対のガイドリブ７、７を上下方向に延設している。そして、当該ガイドリブ７、７により、ボタン孔３と操作ボタン４との隙間から水が収納ケース内に浸入したとしても、水のガイドリブ７、７を越えた左右方向への浸入を防止し、さらに浸入した水を排水孔６、６側へ導くようになっている。したがって、浸入した水の収納ケース内部空間での拡散を防止することができ、各種基板等の電子部品に影響を及ぼすといった事態を効果的に防止することができる。
また、操作ボタン４を取り付けた際、ガイドリブ７、７の対向面と操作ボタン４の左右両側面とが当接するようにガイドリブ７、７を形成しているため、水が浸入する隙間を最小限とすることができ、水が浸入しにくい構成とすることができる。
さらに、ガイドリブ７、７の上端部に、操作ボタン４を軸支するための軸支部７ａを設けているため、前ケース１の構成の簡素化及び合理化を図ることができる。
【００１９】
また、ガイドリブ７、７の下端部に、排水孔６、６・・と連通する通水孔９、９・・を有する防水壁８を架設している。そのため、該防水壁８により、ガイドリブ７、７に沿う等して流下してきた水の更なる流下、すなわちスピーカ等が設置されている収納ケース下方空間への水の浸入を確実に防止し、その水を排水孔６、６・・から排出させることができる。したがって、収納ケース内に浸入した水が電子部品に影響を及ぼすといった事態を確実に防止することができる。また、このように所定位置よりも下方への水の浸入を確実に防止可能とすることで、操作ボタン４をスピーカの上部に配置すること等が可能となり、デザインの自由度を向上することができるし、スペースの有効利用による装置の小型化等をも図ることができる。
【００２０】
さらに、ガイドリブ７、７及び防水壁８により囲まれる空間を覆い、水のガイドリブ７等を越えた後方への移動を防止するカバー部材２を取り付けている。したがって、収納ケース内の電子部品設置空間等への水の浸入をさらに確実に防止することができるし、特にボタン孔３と操作ボタン４との隙間から多量の水が浸入したような場合に優れた防水効果を発揮することができる。
加えて、前ケース１に排水孔６，６・・を開設するにあたり、排水孔６、６・・を、スピーカ孔５、５・・と同形状、且つ、同様の配列でスピーカ孔５、５・・の配列の延長線上に形成している。したがって、前ケース１のデザインを、スピーカ孔５、５・・と排水孔６、６・・との区別がつきにくい統一感のあるデザインとすることができる。
【００２１】
なお、本発明に係る電子機器における水抜き構造は、上記実施形態に記載の態様に何ら限定されるものではなく、電子機器の種類、排水孔の大きさや位置、ボタン孔の位置、カバー部材の有無等に係る構成を、本発明の趣旨を逸脱しない範囲で、必要に応じて適宜変更することができる。
【００２２】
たとえば、スピーカの有無に拘わらず、排水孔６の大きさや形状を適宜変更してもよいことは言うまでもないし、排水孔６の開設位置についてもボタン孔３よりも下方であれば、適宜変更可能である。
また、ボタン孔３が左右方向へ複数設けられているような場合には、各ボタン孔３毎に一対のガイドリブ７、７を一組ずつ形成するようにしてもよいし、最も左右に位置するボタン孔３の左右外側にガイドリブ７を夫々設ける（すなわち、複数のボタン孔３、３・・に対して一対のガイドリブ７、７一組で対応する）ようにしてもよい。さらに、ボタン孔３が上下方向へ複数並設されている場合も、各ボタン孔３毎に一対のガイドリブ７、７を設ける構成としてもよいし、一組のガイドリブ７、７で複数のボタン孔３、３・・に対応させるような構成としてもよい。
【００２３】
さらにまた、上記実施形態では、水の流下を防止する構成として、通水孔９、９・・を有する防水壁８を排水孔６よりも上方位置に設ける構成を採用しているが、排水孔６の下縁に沿って壁部（通水孔等は開設されていない）を立設し、当該壁部により排水孔６よりも下方への水の流下を阻止するような構成とすることも可能である。
加えて、上記実施形態では、インターホン機器における水抜き構造について説明しているが、上記水抜き構造を、たとえば電子錠を施錠／解錠するためのアクセスコントロール等といった操作ボタン４を備えた他の電子機器に適用可能であることは言うまでもない。
【図面の簡単な説明】
【００２４】
【図１】インターホン機器の前ケースを正面から示した説明図である。
【図２】図１におけるＡ−Ａ線断面説明図である。
【図３】前ケースを後方から示した斜視説明図である。
【図４】カバー部材を取り外した状態の前ケースを後方から示した斜視説明図である。
【符号の説明】
【００２５】
１・・前ケース、２・・カバー部材、３・・ボタン孔、４・・操作ボタン、４ａ・・軸部、５・・スピーカ孔、６・・排水孔、７・・ガイドリブ、７ａ・・軸支部、８・・防水壁、９・・通水孔。
【図１】
0005001094.tif 000002
【図２】
0005001094.tif 000003
【図３】
0005001094.tif 000004
【図４】
0005001094.tif 000005